(57)【要約】【課題】視聴したい番組を容易に見つけ出すことができ、視聴したい番組の見逃しを抑えることができる受信装置を提供する。【解決手段】テレビジョン放送波からＥＰＧ情報を取得するチューナ１１と、所定のタイミングで、当該取得されたＥＰＧ情報に基づいて、所定のキーワードに合致する番組を検索する第１検索プログラム１７３ａを実行したＣＰＵ１７１と、当該検索された番組のうちの新規登録番組をリストアップした新規登録番組リストを作成する作成プログラム１７３ｃを実行したＣＰＵ１７１と、受信装置１の電源がＯＮされると、当該作成された新規登録番組リストを映像表示部１４２に表示させる表示制御プログラム１７３ｇを実行したＣＰＵ１７１と、を備えるよう構成し、そして、新規登録番組を、既に表示された新規登録番組リストにリストアップされた番組以外の番組であり、かつ、未放送の番組とした。【選択図】図１
2008166999.tif 000002
【特許請求の範囲】
【請求項１】
テレビジョン放送波を受信する受信装置において、
所定のキーワードを入力する入力手段と、
前記テレビジョン放送波からＥＰＧ（Electronic Program Guide）情報を取得する取得手段と、
前記取得手段によりＥＰＧ情報が取得されたタイミングで、当該取得されたＥＰＧ情報に基づいて、前記入力手段により入力された所定のキーワードに合致する番組を検索する第１検索手段と、
前記第１検索手段により検索された番組を登録する第１登録手段と、
前記第１登録手段により登録された番組をリストアップした番組リストを作成する第１作成手段と、
当該受信装置の電源がＯＮされると、前記第１作成手段により作成された番組リストを表示手段に表示させる第１表示制御手段と、
前記第１表示制御手段により前記表示手段に表示された番組リストの中から、視聴予約をする番組をユーザが選択するための選択手段と、
前記選択手段により選択された番組を登録する第２登録手段と、
前記第２登録手段により登録された番組の中から、所定期間内に放送される番組を抽出して、当該抽出された番組をリストアップした視聴予約番組リストを作成する第２作成手段と、
当該受信装置の電源がＯＮされて、前記第１表示制御手段により前記表示手段に番組リストが表示された後に、前記第２作成手段により作成された視聴予約番組リストを前記表示手段に表示させる第２表示制御手段と、
前記第２登録手段により登録された番組が視聴されたか否かを判断する判断手段と、
前記判断手段によって前記第２登録手段により登録された番組が視聴されていないと判断されると、前記取得手段により取得されたＥＰＧ情報に基づいて、当該視聴されていないと判断された番組と同一の番組若しくは前記第１検索手段が当該番組を検索した際に使用した前記所定のキーワードに合致する番組であり、かつ、未放送の番組を検索する第２検索手段と、
当該受信装置の電源がＯＮされている間に前記第２検索手段により番組が検索された場合に、その旨を報知する報知手段と、を備え、
前記第１作成手段は、前記第１登録手段により登録された番組の中から、既に前記第１表示制御手段により前記表示手段に表示された番組リストにリストアップされた番組以外の番組であり、かつ、未放送の番組を抽出して、当該抽出された番組をリストアップした番組リストを作成するとともに、前記第１登録手段により登録された番組の中から番組タイトルが同一の番組を複数抽出した場合は、当該抽出された複数の番組のうち放送時間が直近の番組を作成する番組リストにリストアップし、
前記第２登録手段は、前記第２検索手段により検索された番組を登録することを特徴とする受信装置。
【請求項２】
テレビジョン放送波を受信する受信装置において、
前記テレビジョン放送波からＥＰＧ（Electronic Program Guide）情報を取得する取得手段と、
所定のタイミングで、前記取得手段により取得されたＥＰＧ情報に基づいて、所定の条件に合致する番組を検索する検索手段と、
前記検索手段により検索された番組を登録する登録手段と、
前記登録手段により登録された番組をリストアップした番組リストを作成する作成手段と、
当該受信装置の電源がＯＮされると、前記作成手段により作成された番組リストを表示手段に表示させる表示制御手段と、を備え、
前記作成手段は、前記登録手段により登録された番組の中から、既に前記表示制御手段により前記表示手段に表示された番組リストにリストアップされた番組以外の番組であり、かつ、未放送の番組を抽出して、当該抽出された番組をリストアップした番組リストを作成することを特徴とする受信装置。
【請求項３】
請求項２に記載の受信装置において、
前記検索手段は、前記取得手段によりＥＰＧ情報が取得されたタイミングで、当該取得されたＥＰＧ情報に基づいて、所定の条件に合致する番組を検索することを特徴とする受信装置。
【請求項４】
請求項２又は３に記載の受信装置において、
前記作成手段は、前記登録手段により登録された番組の中から番組タイトルが同一の番組を複数抽出した場合は、当該抽出された複数の番組のうち放送時間が直近の番組を作成する番組リストにリストアップすることを特徴とする受信装置。
【請求項５】
請求項２〜４の何れか一項に記載の受信装置において、
前記表示制御手段により前記表示手段に表示された番組リストの中から、視聴予約をする番組をユーザが選択するための選択手段と、
前記選択手段により選択された番組を登録する第２登録手段と、
前記第２登録手段により登録された番組の中から、所定期間内に放送される番組を抽出して、当該抽出された番組をリストアップした視聴予約番組リストを作成する第２作成手段と、
当該受信装置の電源がＯＮされると、前記第２作成手段により作成された視聴予約番組リストを前記表示手段に表示させる第２表示制御手段と、
を備えることを特徴とする受信装置。
【請求項６】
請求項５に記載の受信装置において、
前記第２登録手段により登録された番組が視聴されたか否かを判断する判断手段と、
前記判断手段によって前記第２登録手段により登録された番組が視聴されていないと判断されると、前記取得手段により取得されたＥＰＧ情報に基づいて、当該視聴されていないと判断された番組と同一の番組若しくは前記検索手段が当該番組を検索した際に使用した前記所定の条件に合致する番組であり、かつ、未放送の番組を検索する第２検索手段と、を備え、
前記第２登録手段は、前記第２検索手段により検索された番組を登録することを特徴とする受信装置。
【請求項７】
請求項６に記載の受信装置において、
当該受信装置の電源がＯＮされている間に前記第２検索手段により番組が検索された場合に、その旨を報知する報知手段を備えることを特徴とする受信装置。
【請求項８】
請求項２〜７の何れか一項に記載の受信装置において、
所定のキーワードを入力する入力手段を備え、
前記所定の条件は、前記入力手段により入力された所定のキーワードであることを特徴とする受信装置。
【発明の詳細な説明】
【技術分野】
【０００１】
本発明は、受信装置に関する。
【背景技術】
【０００２】
従来、テレビジョン放送波を受信する受信装置が知られている。
【０００３】
具体的には、例えば、テレビ放送やラジオ放送の受信機能を備えた携帯電話機等のモバイル機器において、移動に伴って受信地域が変わったとしても、テレビ放送やラジオ放送の選局動作や予約動作が容易に行えるよう、他のモバイル機器から現在地における放送局情報等を取得するとともに、他のモバイル機器が予約保持する番組情報を利用することができるモバイル機器が知られている（例えば、特許文献１参照）。
また、例えば、放送側の都合で視聴予約された番組の放送時間や番組内容が変更された場合であっても、当該視聴予約された番組を見逃してしまうことがないように、視聴予約を再設定し直すことができる放送番組受信装置が知られている（例えば、特許文献２参照）。
【０００４】
ところで、デジタル放送の開始によって、受信装置により受信可能な番組の数が増大している。そのため、視聴したい番組を見つけ出すのはユーザにとって困難であり、視聴したい番組を見逃してしまう場合もある。
【０００５】
そこで、例えば、番組が容易に探し出せるように、録画予約や視聴予約されている番組を時系列順に表示する番組情報表示装置が提案された（例えば、特許文献３参照）。
また、例えば、番組の選択が容易に行えるように、ＥＰＧ情報と視聴履歴情報とに基づいて、曜日毎に視聴番組情報を集計して曜日別の視聴番組表を作成し、そして、当該作成された視聴番組表を表示する表示装置が提案された（例えば、特許文献４参照）。
また、例えば、録画予約や視聴予約を正確にかつ簡単に設定できるように、カレンダを表示してそのカレンダの中から選択された日付における放送番組表を表示し、そして、その放送番組表の中から予約する番組を選択することができる予約情報設定装置が提案された（例えば、特許文献５参照）。
【特許文献１】特開２００６−１３５６４８号公報
【特許文献２】特開２００３−１６９２６４号公報
【特許文献３】特開２００４−３２６５８号公報
【特許文献４】特開２００３−１８４８８号公報
【特許文献５】特開２００２−１６８４４号公報
【発明の開示】
【発明が解決しようとする課題】
【０００６】
しかしながら、特許文献３に開示された技術では、録画予約や視聴予約されていない番組は時系列順に表示できない。一方で、予約されていない番組を時系列順に表示したとしても、表示される番組数は膨大であり、視聴したい番組を見つけ出すのは困難である、視聴したい番組を見逃してしまう場合がある、という問題は解決できない。
また、特許文献４に開示された技術では、曜日毎に視聴番組情報を集計して視聴番組表を作成するため、当該視聴番組表には定期的に視聴する番組しか表示されず、使い勝手が悪い場合がある。
また、特許文献５に開示された技術では、カレンダの中から選択された日付における放送番組表、すなわち、１日分の放送番組表を表示することになるため、表示される番組数は相変わらず膨大であり、視聴したい番組を見つけ出すのは困難である、視聴したい番組を見逃してしまう場合がある、という問題を十分に解決することができない。
また、特許文献１及び２に開示された技術でも、視聴したい番組を見つけ出すのは困難である、視聴したい番組を見逃してしまう場合がある、という問題は解決できない。
【０００７】
本発明の課題は、視聴したい番組を容易に見つけ出すことができ、視聴したい番組の見逃しを抑えることができる受信装置を提供することにある。
【課題を解決するための手段】
【０００８】
上記課題を解決するために、請求項１に記載の発明は、
テレビジョン放送波を受信する受信装置において、
所定のキーワードを入力する入力手段と、
前記テレビジョン放送波からＥＰＧ（Electronic Program Guide）情報を取得する取得手段と、
前記取得手段によりＥＰＧ情報が取得されたタイミングで、当該取得されたＥＰＧ情報に基づいて、前記入力手段により入力された所定のキーワードに合致する番組を検索する第１検索手段と、
前記第１検索手段により検索された番組を登録する第１登録手段と、
前記第１登録手段により登録された番組をリストアップした番組リストを作成する第１作成手段と、
当該受信装置の電源がＯＮされると、前記第１作成手段により作成された番組リストを表示手段に表示させる第１表示制御手段と、
前記第１表示制御手段により前記表示手段に表示された番組リストの中から、視聴予約をする番組をユーザが選択するための選択手段と、
前記選択手段により選択された番組を登録する第２登録手段と、
前記第２登録手段により登録された番組の中から、所定期間内に放送される番組を抽出して、当該抽出された番組をリストアップした視聴予約番組リストを作成する第２作成手段と、
当該受信装置の電源がＯＮされて、前記第１表示制御手段により前記表示手段に番組リストが表示された後に、前記第２作成手段により作成された視聴予約番組リストを前記表示手段に表示させる第２表示制御手段と、
前記第２登録手段により登録された番組が視聴されたか否かを判断する判断手段と、
前記判断手段によって前記第２登録手段により登録された番組が視聴されていないと判断されると、前記取得手段により取得されたＥＰＧ情報に基づいて、当該視聴されていないと判断された番組と同一の番組若しくは前記第１検索手段が当該番組を検索した際に使用した前記所定のキーワードに合致する番組であり、かつ、未放送の番組を検索する第２検索手段と、
当該受信装置の電源がＯＮされている間に前記第２検索手段により番組が検索された場合に、その旨を報知する報知手段と、を備え、
前記第１作成手段は、前記第１登録手段により登録された番組の中から、既に前記第１表示制御手段により前記表示手段に表示された番組リストにリストアップされた番組以外の番組であり、かつ、未放送の番組を抽出して、当該抽出された番組をリストアップした番組リストを作成するとともに、前記第１登録手段により登録された番組の中から番組タイトルが同一の番組を複数抽出した場合は、当該抽出された複数の番組のうち放送時間が直近の番組を作成する番組リストにリストアップし、
前記第２登録手段は、前記第２検索手段により検索された番組を登録することを特徴とする。
【０００９】
請求項２に記載の発明は、
テレビジョン放送波を受信する受信装置において、
前記テレビジョン放送波からＥＰＧ（Electronic Program Guide）情報を取得する取得手段と、
所定のタイミングで、前記取得手段により取得されたＥＰＧ情報に基づいて、所定の条件に合致する番組を検索する検索手段と、
前記検索手段により検索された番組を登録する登録手段と、
前記登録手段により登録された番組をリストアップした番組リストを作成する作成手段と、
当該受信装置の電源がＯＮされると、前記作成手段により作成された番組リストを表示手段に表示させる表示制御手段と、を備え、
前記作成手段は、前記登録手段により登録された番組の中から、既に前記表示制御手段により前記表示手段に表示された番組リストにリストアップされた番組以外の番組であり、かつ、未放送の番組を抽出して、当該抽出された番組をリストアップした番組リストを作成することを特徴とする。
【００１０】
請求項３に記載の発明は、
請求項２に記載の受信装置において、
前記検索手段は、前記取得手段によりＥＰＧ情報が取得されたタイミングで、当該取得されたＥＰＧ情報に基づいて、所定の条件に合致する番組を検索することを特徴とする。
【００１１】
請求項４に記載の発明は、
請求項２又は３に記載の受信装置において、
前記作成手段は、前記登録手段により登録された番組の中から番組タイトルが同一の番組を複数抽出した場合は、当該抽出された複数の番組のうち放送時間が直近の番組を作成する番組リストにリストアップすることを特徴とする。
【００１２】
請求項５に記載の発明は、
請求項２〜４の何れか一項に記載の受信装置において、
前記表示制御手段により前記表示手段に表示された番組リストの中から、視聴予約をする番組をユーザが選択するための選択手段と、
前記選択手段により選択された番組を登録する第２登録手段と、
前記第２登録手段により登録された番組の中から、所定期間内に放送される番組を抽出して、当該抽出された番組をリストアップした視聴予約番組リストを作成する第２作成手段と、
当該受信装置の電源がＯＮされると、前記第２作成手段により作成された視聴予約番組リストを前記表示手段に表示させる第２表示制御手段と、
を備えることを特徴とする。
【００１３】
請求項６に記載の発明は、
請求項５に記載の受信装置において、
前記第２登録手段により登録された番組が視聴されたか否かを判断する判断手段と、
前記判断手段によって前記第２登録手段により登録された番組が視聴されていないと判断されると、前記取得手段により取得されたＥＰＧ情報に基づいて、当該視聴されていないと判断された番組と同一の番組若しくは前記検索手段が当該番組を検索した際に使用した前記所定の条件に合致する番組であり、かつ、未放送の番組を検索する第２検索手段と、を備え、
前記第２登録手段は、前記第２検索手段により検索された番組を登録することを特徴とする。
【００１４】
請求項７に記載の発明は、
請求項６に記載の受信装置において、
当該受信装置の電源がＯＮされている間に前記第２検索手段により番組が検索された場合に、その旨を報知する報知手段を備えることを特徴とする。
【００１５】
請求項８に記載の発明は、
請求項２〜７の何れか一項に記載の受信装置において、
所定のキーワードを入力する入力手段を備え、
前記所定の条件は、前記入力手段により入力された所定のキーワードであることを特徴とする。
【発明の効果】
【００１６】
請求項１に記載の発明によれば、取得手段によって、テレビジョン放送波からＥＰＧ（Electronic Program Guide）情報を取得することができ、第１検索手段によって、所定のタイミングで、取得手段により取得されたＥＰＧ情報に基づいて、所定のキーワードに合致する番組を検索することができ、第１登録手段によって、第１検索手段により検索された番組を登録することができ、第１作成手段によって、第１登録手段により登録された番組をリストアップした番組リストを作成することができ、第１表示制御手段によって、当該受信装置の電源がＯＮされると、第１作成手段により作成された番組リストを表示手段に表示させることができる。そして、第１作成手段は、第１登録手段により登録された番組の中から、既に第１表示制御手段により表示手段に表示された番組リストにリストアップされた番組以外の番組であり、かつ、未放送の番組を抽出して、当該抽出された番組をリストアップした番組リストを作成することができる。
すなわち、受信装置の電源がＯＮされると、所定のキーワードに合致する番組をリストアップした番組リストが表示されるようになっているため、ユーザは、受信装置の電源をＯＮすると、必ずこの番組リストを見て所定のキーワードに合致する番組を認識することができる。また、番組リストにリストアップされる番組は、既に表示された番組リストにリストアップされた番組以外の番組であり、かつ、未放送の番組であるため、所定のキーワードに合致する番組の全てをリストアップする場合よりも、リストアップされる番組の数を抑えることができることとなって、ユーザは、所定のキーワードに合致する番組を認識しやすくなる。したがって、視聴したい番組を容易に見つけ出すことができ、視聴したい番組の見逃しを抑えることができる。
【００１７】
また、第１検索手段は、取得手段によりＥＰＧ情報が取得されたタイミングで、当該取得されたＥＰＧ情報に基づいて、所定のキーワードに合致する番組を検索することができる。
すなわち、ＥＰＧ情報が取得されたタイミングで、番組リストを作成することができる。したがって、受信装置の電源がＯＮされたタイミングで番組リストを作成する場合よりも、受信装置の電源がＯＮされてから番組リストを表示するまでにかかる時間が短くなるため、利便性が高い。
【００１８】
また、第１作成手段は、第１登録手段により登録された番組の中から番組タイトルが同一の番組を複数抽出した場合は、当該抽出された複数の番組のうち放送時間が直近の番組を作成する番組リストにリストアップすることができる。
したがって、番組リストにリストアップされる番組の数をより一層抑えることができることとなって、ユーザは、所定のキーワードに合致する番組を認識しやすくなる。
【００１９】
また、選択手段によって、ユーザは、第１表示制御手段により表示手段に表示された番組リストの中から、視聴予約をする番組を選択することができ、第２登録手段によって、選択手段により選択された番組を登録することができ、第２作成手段によって、第２登録手段により登録された番組の中から、所定期間内に放送される番組を抽出して、当該抽出された番組をリストアップした視聴予約番組リストを作成することができ、第２表示制御手段によって、当該受信装置の電源がＯＮされると、第２作成手段により作成された視聴予約番組リストを表示手段に表示させることができる。
すなわち、受信装置の電源がＯＮされると、視聴予約された番組をリストアップした視聴予約番組リストも表示されるようになっているため、ユーザは、受信装置の電源がＯＮされると、必ずこの視聴予約番組リストを見て視聴予約をした番組を認識することができる。また、視聴予約番組リストにリストアップされる番組は、所定期間内に放送される番組であるため、視聴予約された番組の全てをリストアップする場合よりも、リストアップされる番組の数を抑えることができ、ユーザは、視聴予約をした番組を認識しやすくなる。したがって、視聴予約をした番組を容易に確認することができ、視聴予約をした番組の見逃しを抑えることができる。
【００２０】
また、判断手段によって、第２登録手段により登録された番組が視聴されたか否かを判断することができ、第２検索手段によって、判断手段によって第２登録手段により登録された番組が視聴されていないと判断されると、取得手段により取得されたＥＰＧ情報に基づいて、当該視聴されていないと判断された番組と同一の番組若しくは第１検索手段が当該番組を検索した際に使用した所定のキーワードに合致する番組であり、かつ、未放送の番組を検索することができ、そして、第２登録手段は、第２検索手段により検索された番組を登録することができる。
すなわち、視聴予約された番組が視聴されなかった場合には、当該番組と同一又は類似の番組を視聴予約番組リストにリストアップすることができるため、視聴したい番組の見逃しを抑えることができる。
【００２１】
また、報知手段によって、当該受信装置の電源がＯＮされている間に第２検索手段により番組が検索された場合に、その旨を報知することができる。
すなわち、視聴予約された番組が視聴されなかった場合、当該番組と同一又は類似の番組をユーザにいち早く認識させることができるため、視聴したい番組の見逃しを抑えることができる。
【００２２】
また、入力手段によって、所定のキーワードを入力することができる。
したがって、番組リストには、ユーザが入力したキーワードに合致する番組がリストアップされるため、より一層、視聴したい番組を容易に見つけ出すことができ、視聴したい番組の見逃しを抑えることができる。
【００２３】
請求項２に記載の発明によれば、取得手段によって、テレビジョン放送波からＥＰＧ（Electronic Program Guide）情報を取得することができ、検索手段によって、所定のタイミングで、取得手段により取得されたＥＰＧ情報に基づいて、所定の条件に合致する番組を検索することができ、登録手段によって、検索手段により検索された番組を登録することができ、作成手段によって、登録手段により登録された番組をリストアップした番組リストを作成することができ、表示制御手段によって、当該受信装置の電源がＯＮされると、作成手段により作成された番組リストを表示手段に表示させることができる。そして、作成手段は、登録手段により登録された番組の中から、既に表示制御手段により表示手段に表示された番組リストにリストアップされた番組以外の番組であり、かつ、未放送の番組を抽出して、当該抽出された番組をリストアップした番組リストを作成することができる。
すなわち、受信装置の電源がＯＮされると、所定の条件に合致する番組をリストアップした番組リストが表示されるようになっているため、ユーザは、受信装置の電源をＯＮすると、必ずこの番組リストを見て所定の条件に合致する番組を認識することができる。また、番組リストにリストアップされる番組は、既に表示された番組リストにリストアップされた番組以外の番組であり、かつ、未放送の番組であるため、所定の条件に合致する番組の全てをリストアップする場合よりも、リストアップされる番組の数を抑えることができ、ユーザは、所定の条件に合致する番組を認識しやすくなる。したがって、視聴したい番組を容易に見つけ出すことができ、視聴したい番組の見逃しを抑えることができる。
【００２４】
請求項３に記載の発明によれば、請求項２に記載の発明と同様の効果が得られることは無論のこと、検索手段は、取得手段によりＥＰＧ情報が取得されたタイミングで、当該取得されたＥＰＧ情報に基づいて、所定の条件に合致する番組を検索することができる。
すなわち、ＥＰＧ情報が取得されたタイミングで、番組リストを作成することができる。したがって、受信装置の電源がＯＮされたタイミングで番組リストを作成する場合よりも、受信装置の電源がＯＮされてから番組リストを表示するまでにかかる時間が短くなるため、利便性が高い。
【００２５】
請求項４に記載の発明によれば、請求項２又は３に記載の発明と同様の効果が得られることは無論のこと、作成手段は、登録手段により登録された番組の中から番組タイトルが同一の番組を複数抽出した場合は、当該抽出された複数の番組のうち放送時間が直近の番組を作成する番組リストにリストアップすることができる。
したがって、番組リストにリストアップされる番組の数をより一層抑えることができることとなって、ユーザは、所定の条件に合致する番組を認識しやすくなる。
【００２６】
請求項５に記載の発明によれば、請求項２〜４の何れか一項に記載の発明と同様の効果が得られることは無論のこと、選択手段によって、ユーザは、表示制御手段により表示手段に表示された番組リストの中から、視聴予約をする番組を選択することができ、第２登録手段によって、選択手段により選択された番組を登録することができ、第２作成手段によって、第２登録手段により登録された番組の中から、所定期間内に放送される番組を抽出して、当該抽出された番組をリストアップした視聴予約番組リストを作成することができ、第２表示制御手段によって、当該受信装置の電源がＯＮされると、第２作成手段により作成された視聴予約番組リストを表示手段に表示させることができる。
すなわち、受信装置の電源がＯＮされると、視聴予約された番組をリストアップした視聴予約番組リストも表示されるようになっているため、ユーザは、受信装置の電源がＯＮされると、必ずこの視聴予約番組リストを見て視聴予約をした番組を認識することができる。また、視聴予約番組リストにリストアップされる番組は、所定期間内に放送される番組であるため、視聴予約された番組の全てをリストアップする場合よりも、リストアップされる番組の数を抑えることができ、ユーザは、視聴予約をした番組を認識しやすくなる。したがって、視聴予約をした番組を容易に確認することができ、視聴予約をした番組の見逃しを抑えることができる。
【００２７】
請求項６に記載の発明によれば、請求項５に記載の発明と同様の効果が得られることは無論のこと、判断手段によって、第２登録手段により登録された番組が視聴されたか否かを判断することができ、第２検索手段によって、判断手段によって第２登録手段により登録された番組が視聴されていないと判断されると、取得手段により取得されたＥＰＧ情報に基づいて、当該視聴されていないと判断された番組と同一の番組若しくは検索手段が当該番組を検索した際に使用した所定の条件に合致する番組であり、かつ、未放送の番組を検索することができ、そして、第２登録手段は、第２検索手段により検索された番組を登録することができる。
すなわち、視聴予約された番組が視聴されなかった場合には、当該番組と同一又は類似の番組を視聴予約番組リストにリストアップすることができるため、視聴したい番組の見逃しを抑えることができる。
【００２８】
請求項７に記載の発明によれば、請求項６に記載の発明と同様の効果が得られることは無論のこと、報知手段によって、当該受信装置の電源がＯＮされている間に第２検索手段により番組が検索された場合に、その旨を報知することができる。
すなわち、視聴予約された番組が視聴されなかった場合、当該番組と同一又は類似の番組をユーザにいち早く認識させることができるため、視聴したい番組の見逃しを抑えることができる。
【００２９】
請求項８に記載の発明によれば、請求項２〜７の何れか一項に記載の発明と同様の効果が得られることは無論のこと、入力手段によって、所定のキーワードを入力することができ、そして、所定の条件は、入力手段により入力された所定のキーワードである。
したがって、番組リストには、ユーザが入力したキーワードに合致する番組がリストアップされるため、より一層、視聴したい番組を容易に見つけ出すことができ、視聴したい番組の見逃しを抑えることができる。
【発明を実施するための最良の形態】
【００３０】
以下、図を参照して、本発明にかかる受信装置の最良の形態を詳細に説明する。なお、発明の範囲は、図示例に限定されない。
【００３１】
＜受信装置の構成＞
受信装置１は、例えば、テレビジョン放送波を受信するテレビジョン受像機等であり、例えば、図１に示すように、アンテナ１１ａを有するチューナ１１と、信号処理部１２と、ＯＳＤ回路１３と、音声出力部１４１や映像表示部１４２を有する出力部１４と、操作部１５と、メモリ１６と、制御部１７と、などを備えて構成される。各部は、バス１０によって接続されている。
【００３２】
チューナ１１は、制御部１７から入力される制御信号に従って、例えば、ユーザによる操作部１５の操作により指定された一の番組に関するテレビジョン放送信号を、テレビジョン放送波から受信する。
具体的には、チューナ１１は、例えば、アンテナ１１ａにより受信されたテレビジョン放送波（例えば、デジタル方式のテレビジョン放送波）から、ユーザ所望の番組のチャンネルに対応する周波数帯域に存在するテレビジョン放送信号を受信して、当該受信されたテレビジョン放送信号を変調して信号処理部１２に出力する。
【００３３】
また、チューナ１１は、制御部１７から入力される制御信号に従って、例えば、取得手段として、テレビジョン放送波からＥＰＧ（Electronic Program Guide）情報を取得する。
具体的には、チューナ１１は、例えば、アンテナ１１ａにより受信されたテレビジョン放送波からＥＰＧ情報を取得して、メモリ１６に出力する。
ここで、チューナ１１により取得されるＥＰＧ情報には、例えば、放送日、チャンネル番号、放送開始時間、放送終了時間、番組タイトル、出演者名、番組のジャンル等の番組に関する番組情報等が含まれている。
【００３４】
信号処理部１２は、制御部１７から入力される制御信号に従って、例えば、チューナ１１から入力されたテレビジョン放送信号に所定の処理を施して、当該テレビジョン放送信号から、音声データと、映像データと、などを分離し、そして、当該音声データをデコードして出力部１４の音声出力部１４１に出力するとともに、当該映像データをデコードして出力部１４の映像表示部１４２に出力する。
【００３５】
ＯＳＤ回路１３は、制御部１７から入力される制御信号に従って、出力部１４の映像表示部１４２に所定のオンスクリーンディスプレイ（ＯＳＤ）表示をさせるためのＯＳＤ表示信号を、信号処理部１２から映像表示部１４２に出力される映像データに合成する。
【００３６】
出力部１４が有する音声出力部１４１は、例えば、スピーカ機器等であり、制御部１７から入力される制御信号に従って、例えば、信号処理部１２から入力された音声データに基づく音声を出力する。
【００３７】
出力部１４が有する映像表示部１４ｂは、例えば、液晶表示機器等であり、制御部１７から入力される制御信号に従って、例えば、信号処理部１２から入力された映像データに基づく映像を表示したり、或いは、信号処理部１２から入力されてＯＳＤ回路１３によりＯＳＤ表示信号が合成された映像データに基づく映像を表示する。
【００３８】
操作部１５は、例えば、受信装置１の外面に備えられた操作ボタン（図示省略）や、受信装置１用のリモートコントローラ（図示省略）及び当該リモートコントローラと通信可能なリモコン受信部（図示省略）などから構成されており、例えば、ユーザにより操作されると、当該操作に伴う各種信号を制御部１７に出力する。
【００３９】
具体的には、操作部１５は、例えば、入力手段として、ユーザが所定のキーワードを入力する際に操作される。
【００４０】
また、操作部１５は、例えば、選択手段として、ユーザが第１表示制御プログラム１７３ｄを実行したＣＰＵ１７１（後述）により映像表示部１４２に表示された新規登録番組リストの中から、視聴予約をする視聴予約番組を選択する際に操作される。
【００４１】
メモリ１６は、例えば、磁気的記録媒体、光学的記録媒体、若しくは半導体メモリなどである。
具体的には、メモリ１６は、例えば、図１に示すように、キーワードデータファイル１６ａと、ＥＰＧ情報データファイル１６ｂと、キーワード検索番組データファイル１６ｃと、新規登録番組リストデータファイル１６ｄと、視聴予約番組データファイル１６ｅと、などを格納している。
【００４２】
キーワードデータファイル１６ａは、制御部１７から入力される制御信号に従って、例えば、ユーザによる操作部１５の操作により入力された所定のキーワードを記憶する。
【００４３】
ＥＰＧ情報データファイル１６ｂは、制御部１７から入力される制御信号に従って、例えば、チューナ１１により取得されたＥＰＧ情報を記憶する。
【００４４】
キーワード検索番組データファイル１６ｃは、制御部１７から入力される制御信号に従って、例えば、第１検索プログラム１７３ａを実行したＣＰＵ１７１（後述）により検索された番組の番組情報を記憶する。
ここで、キーワード検索番組データファイル１６ｃに記憶された番組情報のうちの、第１表示制御プログラム１７３ｄを実行したＣＰＵ１７１（後述）により映像表示部１４２に表示された新規登録番組リストにリストアップされた番組の番組情報には、フラグが立てられるようになっている。
【００４５】
新規登録番組リストデータファイル１６ｄは、制御部１７から入力される制御信号に従って、例えば、第１作成プログラム１７３ｃを実行したＣＰＵ１７１（後述）により作成された新規登録番組リストを記憶する。
【００４６】
視聴予約番組データファイル１６ｅは、制御部１７から入力される制御信号に従って、例えば、ユーザによる操作部１５の操作により選択された視聴予約番組の番組情報を記憶するとともに、第２検索プログラム１７３ｉを実行したＣＰＵ１７１（後述）により検索された再登録用の視聴予約番組の番組情報を記憶する。
【００４７】
制御部１７は、例えば、図１に示すように、ＣＰＵ（Central Processing Unit）１７１と、ＲＡＭ（Random Access Memory）１７２と、ＲＯＭ（Read Only Memory）１７３と、などを備えている。
【００４８】
ＣＰＵ１７１は、例えば、ＲＯＭ１７３に記憶された受信装置１用の各種処理プログラムに従って各種の制御動作を行う。
【００４９】
ＲＡＭ１７２は、例えば、ＣＰＵ１７１によって実行される処理プログラム等を展開するためのプログラム格納領域や、入力データや上記処理プログラムが実行される際に生じる処理結果などを格納するデータ格納領域などを備える。
【００５０】
ＲＯＭ１７３は、例えば、受信装置１で実行可能なシステムプログラム、当該システムプログラムで実行可能な各種処理プログラム、これら各種処理プログラムを実行する際に使用されるデータ、ＣＰＵ１７１によって演算処理された処理結果のデータなどを記憶する。なお、プログラムは、コンピュータが読み取り可能なプログラムコードの形でＲＯＭ１７３に記憶されている。
具体的には、ＲＯＭ１７３は、例えば、図１に示すように、第１検索プログラム１７３ａと、第１登録プログラム１７３ｂと、第１作成プログラム１７３ｃと、第１表示制御プログラム１７３ｄと、第２登録プログラム１７３ｅと、第２作成プログラム１７３ｆと、第２表示制御プログラム１７３ｇと、判断プログラム１７３ｈと、第２検索プログラム１７３ｉと、報知プログラム１７３ｊと、などを記憶している。
【００５１】
第１検索プログラム１７３ａは、例えば、所定のタイミングで、チューナ１１により取得されたＥＰＧ情報に基づいて、所定の条件に合致する番組を検索する機能を、ＣＰＵ１７１に実現させる。
【００５２】
ここで、所定のタイミングは、例えば、チューナ１１によりＥＰＧ情報が取得されたタイミングである。
また、所定の条件は、例えば、ユーザによる操作部１５の操作により入力された所定のキーワードである。
すなわち、具体的には、ＣＰＵ１７１は、例えば、チューナ１１によりＥＰＧ情報が取得されたタイミングで、当該取得されてＥＰＧ情報データファイル１６ｂに記憶されたＥＰＧ情報に基づいて、ユーザによる操作部１５の操作により入力されてキーワードデータファイル１６ａに記憶された所定のキーワードに合致する番組を検索する。
【００５３】
より具体的には、ＣＰＵ１７１は、例えば、ユーザによる操作部１５の操作によりキーワードとして「スポーツ」等の“ジャンル”が入力された場合には、例えば、チューナ１１により取得されたＥＰＧ情報に含まれる番組情報の中の“番組のジャンル”を参照して番組を検索する。
また、ＣＰＵ１７１は、例えば、ユーザによる操作部１５の操作によりキーワードとして“人名”が入力された場合には、例えば、チューナ１１により取得されたＥＰＧ情報に含まれる番組情報の中の“出演者名”を参照して番組を検索する。
また、ＣＰＵ１７１は、例えば、ユーザによる操作部１５の操作によりキーワードとして「新番組」が入力された場合には、例えば、チューナ１１により取得されたＥＰＧ情報に含まれる番組情報の中の“番組タイトル”を参照して、番組タイトルに「新」や「[新]」が入っている番組等を検索する。
また、ＣＰＵ１７１は、例えば、ユーザによる操作部１５の操作によりキーワードとして「特集番組」が入力された場合には、例えば、チューナ１１により取得されたＥＰＧ情報に含まれる番組情報の中の“番組タイトル”を参照して、番組タイトルに「スペシャル」や「特集」、「特番」が入っている番組等を検索する。
ＣＰＵ１７１は、かかる第１検索プログラム１７３ａを実行することによって、検索手段（第１検索手段）として機能する。
【００５４】
第１登録プログラム１７３ｂは、例えば、第１検索プログラム１７３ａを実行したＣＰＵ１７１により検索された番組を登録する機能を、ＣＰＵ１７１に実現させる。
【００５５】
具体的には、ＣＰＵ１７１は、例えば、チューナ１１により取得されてＥＰＧ情報データファイル１６ｂに記憶されたＥＰＧ情報に含まれる番組情報のうちの、第１検索プログラム１７３ａを実行したＣＰＵ１７１により検索された番組の番組情報を、キーワード検索番組データファイル１６ｃに記憶させることによって、第１検索プログラム１７３ａを実行したＣＰＵ１７１により検索された番組を登録する。
ＣＰＵ１７１は、かかる第１登録プログラム１７３ｂを実行することによって、登録手段（第１登録手段）として機能する。
【００５６】
第１作成プログラム１７３ｃは、例えば、第１登録プログラム１７３ｂを実行したＣＰＵ１７１により登録された番組をリストアップした番組リストとしての新規登録番組リストを作成する機能を、ＣＰＵ１７１に実現させる。
【００５７】
具体的には、ＣＰＵ１７１は、例えば、第１登録プログラム１７３ｂを実行したＣＰＵ１７１によりキーワード検索番組データファイル１６ｃに記憶されて登録された番組の中から、新規登録番組を抽出して、当該抽出された新規登録番組をリストアップした新規登録番組リストを作成し、そして、新規登録番組リスト１６ｄに記憶させる。
したがって、ＣＰＵ１７１は、例えば、新規登録番組がある場合に、新規登録番組リストを作成することになる。
ここで、新規登録番組は、例えば、既に第１表示制御プログラム１７３ｄを実行したＣＰＵ１７１により映像表示部１４２に表示された新規登録番組リストにリストアップされた番組以外の番組であり、かつ、未放送の番組である。
すなわち、ＣＰＵ１７１は、例えば、キーワード検索番組データファイル１６ｂに記憶された番組情報にフラグが立っていない番組であり、かつ、その番組が未放送の番組である場合に、当該番組を新規登録番組であると判断する。
【００５８】
なお、ＣＰＵ１７１は、例えば、新規登録番組として、第１登録プログラム１７３ｂを実行したＣＰＵ１７１によりキーワード検索番組データファイル１６ｃに記憶されて登録された番組の中から番組タイトルが同一の番組を複数抽出した場合は、当該抽出された複数の番組のうち放送時間が直近の番組を作成する新規登録番組リストにリストアップするようになっている。
また、ＣＰＵ１７１は、新規登録番組を、放送開始時間が現時刻に近いものから順に、新規登録番組リストにリストアップするようになっている。
また、未放送の番組には、例えば、放送中の番組と、放送が開始されていない番組と、を含むこととする。
また、ＣＰＵ１７１は、例えば、新規登録番組リストを作成する度に、新規登録番組リストデータファイル１６ｄに記憶された新規登録番組リストを更新するようになっている。
ＣＰＵ１７１は、かかる第１作成プログラム１７３ｃを実行することによって、作成手段（第１作成手段）として機能する。
【００５９】
第１表示制御プログラム１７３ｄは、例えば、受信装置１の電源がＯＮされると、第１作成プログラム１７３ｃを実行したＣＰＵ１７１により作成されて新規登録番組リストデータファイル１６ｄに記憶された新規登録番組リストを、ＯＳＤ回路１３を介して、表示手段としての映像表示部１４２に表示させる機能を、ＣＰＵ１７１に実現させる。
【００６０】
ここで、ＣＰＵ１７１は、例えば、新規登録番組がある場合に、新規登録番組リストを表示させるようになっている。
なお、ＣＰＵ１７１は、例えば、キーワード検索番組データファイル１６ｂに記憶された番組情報にフラグが立っていない番組があり、かつ、その番組が未放送の番組である場合に、新規登録番組があると判断する。
【００６１】
また、ＣＰＵ１７１は、例えば、新規登録番組リストを表示させると、キーワード検索番組データファイル１６ｃに記憶された番組情報のうちの、当該新規登録番組リストにリストアップされた番組の番組情報に、フラグを立てるようになっている。
ＣＰＵ１７１は、かかる第１表示制御プログラム１７３ｄを実行することによって、表示制御手段（第１表示制御手段）として機能する。
【００６２】
第２登録プログラム１７３ｅは、例えば、ユーザによる操作部１５の操作により選択された視聴予約番組を登録する機能、第２検索プログラム１７３ｉを実行したＣＰＵ１７１により検索された再登録用の視聴予約番組を登録する機能を、ＣＰＵ１７１により実行させる。
【００６３】
具体的には、ＣＰＵ１７１は、例えば、チューナ１１により取得されてＥＰＧ情報データファイル１６ｂに記憶されたＥＰＧ情報に含まれる番組情報のうちの、ユーザによる操作部１５の操作により選択された視聴予約番組の番組情報を、視聴予約番組データファイル１６ｅに記憶させることによって、ユーザによる操作部１５の操作により選択された視聴予約番組を登録する。
また、ＣＰＵ１７１は、例えば、チューナ１１により取得されてＥＰＧ情報データファイル１６ｂに記憶されたＥＰＧ情報に含まれる番組情報のうちの、第２検索プログラム１７３ｉを実行したＣＰＵ１７１により検索された再登録用の視聴予約番組の番組情報を、視聴予約番組データファイル１６ｅに記憶させることによって、第２検索プログラム１７３ｉを実行したＣＰＵ１７１により検索された再登録用の視聴予約番組を登録する。
ＣＰＵ１７１は、かかる第２登録プログラム１７３ｅを実行することによって、第２登録手段として機能する。
【００６４】
第２作成プログラム１７３ｆは、例えば、第２登録プログラム１７３ｅを実行したＣＰＵ１７１により登録された視聴予約番組（具体的には、視聴予約番組や再登録用の視聴予約番組）の中から、所定期間内に放送される視聴予約番組を抽出して、当該抽出された視聴予約番組をリストアップした視聴予約番組リストを作成する機能を、ＣＰＵ１７１に実現させる。
【００６５】
ここで、所定期間内は、例えば、当日及び翌日である。
したがって、ＣＰＵ１７１は、例えば、当日及び翌日に放送される視聴予約番組がある場合に、視聴予約番組リストを作成することになる。
【００６６】
なお、ＣＰＵ１７１は、視聴予約番組を、放送開始時間が現時刻に近いものから順に、視聴予約番組リストにリストアップするようになっている。
ＣＰＵ１７１は、かかる第２作成プログラム１７３ｆを実行することによって、第２作成手段として機能する。
【００６７】
第２表示制御プログラム１７３ｇは、例えば、受信装置１の電源がＯＮされると、第２作成プログラム１７３ｆを実行したＣＰＵ１７１により作成された視聴予約番組リストを、ＯＳＤ回路１３を介して、映像表示部１４２に表示させる機能を、ＣＰＵ１７１に実現させる。
【００６８】
具体的には、例えば、第１表示制御プログラム１７３ｄを実行したＣＰＵ１７１により新規登録番組リストが表示される場合は、ＣＰＵ１７１は、受信装置１の電源がＯＮされて、第１表示制御プログラム１７３ｄを実行したＣＰＵ１７１により映像表示部１４２に新規登録番組リストが表示された後に、第２作成プログラム１７３ｆを実行したＣＰＵ１７１により作成された視聴予約番組リストを映像表示部１４２に表示させる。
一方、例えば、第１表示制御プログラム１７３ｄを実行したＣＰＵ１７１により新規登録番組リストが表示されない場合は、ＣＰＵ１７１は、受信装置１の電源がＯＮされた後に、第２作成プログラム１７３ｆを実行したＣＰＵ１７１により作成された視聴予約番組リストを映像表示部１４２に表示させる。
【００６９】
ここで、例えば、視聴予約番組リストにリストアップされた視聴予約番組のうち、放送中の番組や放送開始まで１時間を切っている番組などは、その他の番組と識別可能となるように、表示されるようになっている。
ＣＰＵ１７１は、かかる第２表示制御プログラム１７３ｇを実行することによって、第２表示制御手段として機能する。
【００７０】
判断プログラム１７３ｈは、例えば、第２登録プログラム１７３ｅを実行したＣＰＵ１７１により視聴予約番組データファイル１６ｅに記憶されて登録された視聴予約番組（具体的には、視聴予約番組や再登録用の視聴予約番組）が視聴されたか否かを判断する機能を、ＣＰＵ１７１に実現させる。
【００７１】
具体的には、ＣＰＵ１７１は、例えば、視聴予約番組の放送時間内に、受信装置１の電源がＯＮされて、当該視聴予約番組のチャンネルがチューナ１１にセットされた場合に、当該視聴予約番組が視聴されたと判断する。
一方、ＣＰＵ１７１は、例えば、視聴予約番組の放送時間内に、受信装置１の電源がＯＮされなかった場合に、或いは、受信装置１の電源はＯＮされたものの当該視聴予約番組のチャンネルがチューナ１１にセットされなかった場合に、当該視聴予約番組が視聴されていないと判断する。
ＣＰＵ１７１は、かかる判断プログラム１７３ｇを実行することによって、判断手段として機能する。
【００７２】
第２検索プログラム１７３ｉは、例えば、判断プログラム１７３ｈを実行したＣＰＵ１７１によって第２登録プログラム１７３ｅを実行したＣＰＵ１７１により視聴予約番組データファイル１６ｅに記憶されて登録された視聴予約番組が視聴されていないと判断されると、チューナ１１により取得されてＥＰＧ情報データファイル１６ｂに記憶されたＥＰＧ情報に基づいて、再登録用の視聴予約番組を検索する機能を、ＣＰＵ１７１に実現させる。
【００７３】
ここで、再登録用の視聴予約番組は、例えば、当該視聴されていないと判断された視聴予約番組と同一の番組若しくは第１検索プログラム１７３ａを実行したＣＰＵ１７１が当該視聴予約番組を検索した際に使用した所定のキーワードに合致する番組であり、かつ、未放送の番組である。
すなわち、再登録用の視聴予約番組は、例えば、見逃された視聴予約番組と同一又は類似の番組であり、かつ、未放送の番組である。
なお、未放送の番組には、例えば、放送中の番組と、放送が開始されていない番組と、を含むこととする。
ＣＰＵ１７１は、かかる第２検索プログラム１７３ｉを実行することによって、第２検索手段として機能する。
【００７４】
報知プログラム１７３ｊは、例えば、受信装置１の電源がＯＮされている間に第２検索プログラム１７３ｉを実行したＣＰＵ１７１により再登録用の視聴予約番組が検索された場合に、その旨を報知する機能を、ＣＰＵ１７１に実現させる。
【００７５】
具体的には、ＣＰＵ１７１は、例えば、再登録用の視聴予約番組の番組タイトルや放送時間などを、ＯＳＤ回路１３を介して、映像表示部１４２に表示させることによって、第２検索プログラム１７３ｉを実行したＣＰＵ１７１により再登録用の視聴予約番組が検索された旨をユーザに報知する。
ＣＰＵ１７１は、かかる報知プログラム１７３ｊを実行することによって、報知手段として機能する。
【００７６】
＜新規登録番組リスト作成処理＞
次に、受信装置１による新規登録番組リストの作成に関する処理について、図２を参照して説明する。
【００７７】
まず、チューナ１１がテレビジョン放送波からＥＰＧ情報を取得すると（ステップＳ１１）、ＣＰＵ１７１は、第１検索プログラム１７３ａを実行して、当該取得されたＥＰＧ情報に基づいて、ユーザによる操作部１５の操作により入力された所定のキーワードに合致する番組を検索する（ステップＳ１２）。
【００７８】
次いで、ＣＰＵ１７１は、第１登録プログラム１７３ｂを実行して、ステップＳ１２にて検索された番組を登録して（ステップＳ１３）、登録された番組の中に新規登録番組があるか否かを判断する（ステップＳ１４）。
【００７９】
ステップＳ１４で、新規登録番組がないと判断すると（ステップＳ１４；Ｎｏ）、ＣＰＵ１７１は、本処理を終了する。
【００８０】
一方、ステップＳ１４で、新規登録番組があると判断すると（ステップＳ１４；Ｙｅｓ）、ＣＰＵ１７１は、第１作成プログラム１７３ｃを実行して、当該新規登録番組をリストアップした新規登録番組リストを作成して（ステップＳ１５）、新規登録番組リストデータファイル１６ｄに記憶させて（ステップＳ１６）、本処理をする。
【００８１】
＜リスト表示処理＞
次に、受信装置１による新規登録番組リスト及び視聴予約番組リストの表示に関する処理について、図３及び図４を参照して説明する。
【００８２】
まず、受信装置１の電源がＯＮされると（ステップＳ３１）、ＣＰＵ１７１は、第１表示制御プログラム１７３ｄを実行して、登録された番組の中に新規登録番組があるか否かを判断する（ステップＳ３２）。
【００８３】
ステップＳ３２で、新規登録番組がないと判断すると（ステップＳ３２；Ｎｏ）、ＣＰＵ１７１は、ステップＳ３７の処理に移行する。
【００８４】
一方、ステップＳ３２で、新規登録番組があると判断すると（ステップＳ３２；Ｙｅｓ）、ＣＰＵ１７１は、ステップＳ１５にて作成されてステップＳ１６にて記憶された新規登録番組リストを映像表示部１４２に表示させる（ステップＳ３３）。
【００８５】
具体的には、ＣＰＵ１７１は、例えば、図５（ａ）に示すような「新規登録番組報知画面」を表示させて、その数秒後に、例えば、図５（ｂ）に示すような「新規登録番組リスト画面」を表示させる。
【００８６】
「新規登録番組報知画面」には、例えば、新規登録番組の個数が表示されている。
【００８７】
「新規登録番組リスト画面」には、例えば、新規登録番組の個数とともに、新規登録番組の番組情報Ａ１と、（具体的には、例えば、放送日、チャンネル番号、放送時間、番組タイトル等）、カーソルＡ２と、スクロールバーＡ３と、等が表示されている。
【００８８】
ここで、新規登録番組の番組情報Ａ１は、例えば、放送開始時間が現時刻に近いものから順に表示されている。
また、カーソルＡ２は、例えば、ユーザが、番組情報の詳細を知りたい新規登録番組や、視聴予約をしたい新規登録番組を指定する際に使用される。すなわち、例えば、ユーザによる操作部１５の操作によって、一の新規登録番組の番組情報Ａ１にカーソルＡ２が合わされて、操作部１５の「決定」キー（図示省略）が押下されると、ＣＰＵ１７１は、当該一の新規登録番組の番組情報の詳細を示した「詳細情報画面」を映像表示部１４２に表示するようになっている。そして、例えば、この「詳細情報画面」において、視聴予約ができるようになっている。
また、スクロールバーＳ３は、例えば、「新規登録番組リスト画面」に、映像表示部１４２の画面内に表示しきれない新規登録番組があることを視覚的に示している。
【００８９】
次いで、ＣＰＵ１７１は、ユーザによる操作部１５の操作によって、ステップＳ３３にて表示された新規登録番組リストの中から、視聴予約番組が選択されたか否かを判断する（ステップＳ３４）。
【００９０】
ステップＳ３４で、視聴予約番組が選択されていないと判断すると（ステップＳ３４；Ｎｏ）、ＣＰＵ１７１は、ステップＳ３６の処理に移行する。
【００９１】
一方、ステップＳ３４で、視聴予約番組が選択されたと判断すると（ステップＳ３４；Ｙｅｓ）、ＣＰＵ１７１は、第２登録プログラム１７３ｅを実行して、当該選択された視聴予約番組を登録する（ステップＳ３５）。
【００９２】
次いで、ＣＰＵ１７１は、ユーザによる操作部１５の操作により、新規登録番組リストの表示を終了するよう指示されたか否かを判断する（ステップＳ３６）。
【００９３】
ステップＳ３６で、新規登録番組リストの表示を終了するよう指示されていないと判断すると（ステップＳ３６；Ｎｏ）、ＣＰＵ１７１は、ステップＳ３４以降の処理を繰り返して行う。
【００９４】
一方、ステップＳ３６で、新規登録番組リストの表示を終了するよう指示されたと判断すると（ステップＳ３６；Ｙｅｓ）、ＣＰＵ１７１は、第２作成プログラム１７３ｆを実行して、当日及び翌日に放送される視聴予約番組があるか否か判断する（ステップＳ３７）。
【００９５】
ステップＳ３７で、当日及び翌日に放送される視聴予約番組がないと判断すると（ステップＳ３７；Ｎｏ）、ＣＰＵ１７１は、本処理を終了する。
【００９６】
一方、ステップＳ３７で、当日及び翌日に放送される視聴予約番組があると判断すると（ステップＳ３７；Ｙｅｓ）、ＣＰＵ１７１は、当該当日及び翌日に放送される視聴予約番組をリストアップした視聴予約番組リストを作成する（ステップＳ３８）。
【００９７】
次いで、ＣＰＵ１７１は、第２表示制御プログラム１７３ｇを実行して、ステップＳ３８にて作成された視聴予約番組リストを映像表示部１４２に表示させる（ステップＳ３９）。
【００９８】
具体的には、ＣＰＵ１７１は、例えば、図６（ａ）に示すような「視聴予約番組報知画面」を表示させて、その数秒後に、例えば、図６（ｂ）に示すような「視聴予約番組リスト画面」を表示させる。
【００９９】
「視聴予約番組報知画面」には、例えば、視聴予約番組の個数が表示されている。
【０１００】
「視聴予約番組リスト画面」には、例えば、視聴予約番組の個数とともに、視聴予約番組の番組情報Ｂ１と、（具体的には、例えば、放送日、チャンネル番号、放送時間、番組タイトル等）、カーソルＢ２と、スクロールバーＢ３と、等が表示されている。
【０１０１】
ここで、視聴予約番組の番組情報Ｂ１は、例えば、放送開始時間が現時刻に近いものから順に表示されている。
また、カーソルＢ２は、例えば、ユーザが、番組情報の詳細を知りたい視聴予約番組や、視聴予約を解除したい視聴予約番組を指定する際に使用される。すなわち、例えば、ユーザによる操作部１５の操作によって、一の視聴予約番組の番組情報Ｂ１にカーソルＢ２が合わされて、操作部１５の「決定」キー（図示省略）が押下されると、ＣＰＵ１７１は、当該一の視聴予約番組の番組情報の詳細を示した「詳細情報画面」を映像表示部１４２に表示するようになっている。そして、例えば、この「詳細情報画面」において、視聴予約の解除ができるようになっている。
また、スクロールバーＢ３は、例えば、「視聴予約番組リスト画面」に、映像表示部１４２の画面内に表示しきれない視聴予約番組があることを視覚的に示している。
【０１０２】
次いで、ＣＰＵ１７１は、ユーザによる操作部１５の操作によって、ステップＳ３９にて表示された視聴予約番組リストの中から、視聴予約を解除する予約解除番組が選択されたか否かを判断する（ステップＳ４０）。
【０１０３】
ステップＳ４０で、予約解除番組が選択されていないと判断すると（ステップＳ４０；Ｎｏ）、ＣＰＵ１７１は、ステップＳ４２の処理に移行する。
【０１０４】
一方、ステップＳ４０で、予約解除番組が選択されたと判断すると（ステップＳ４０；Ｙｅｓ）、ＣＰＵ１７１は、視聴予約番組データファイル１６ｅに記憶された視聴予約番組の番組情報のうちの当該選択された予約解除番組の番組情報を削除することによって、予約解除番組の視聴予約登録を解除する（ステップＳ４１）。
【０１０５】
次いで、ＣＰＵ１７１は、ユーザによる操作部１５の操作によって、視聴予約番組リストの表示を終了するよう指示されたか否かを判断する（ステップＳ４２）。
【０１０６】
ステップＳ４２で、視聴予約番組リストの表示を終了するよう指示されていないと判断すると（ステップＳ４２；Ｎｏ）、ＣＰＵ１７１は、ステップＳ４０以降の処理を繰り返して行う。
【０１０７】
一方、ステップＳ４２で、視聴予約番組リストの表示を終了するよう指示されたと判断すると（ステップＳ４２；Ｙｅｓ）、ＣＰＵ１７１は、本処理を終了する。
【０１０８】
＜見逃し番組登録処理＞
次に、受信装置１による見逃し番組の登録に関する処理について、図７のフローチャートを参照して説明する。
【０１０９】
まず、視聴予約番組の放送開始時間になると（ステップＳ５１）、ＣＰＵ１７１は、判断プログラム１７３ｈを実行して、当該視聴予約番組の放送時間内に、当該視聴予約番組が視聴されたか否かを判断する（ステップＳ５２）。
【０１１０】
ステップＳ５２で、視聴予約番組が視聴されたと判断すると（ステップＳ５２；Ｙｅｓ）、ＣＰＵ１７１は、本処理を終了する。
【０１１１】
一方、ステップＳ５２で、視聴予約番組が視聴されていないと判断すると（ステップＳ５２；Ｎｏ）、ＣＰＵ１７１は、第２検索プログラム１７３ｉを実行して、チューナ１１により取得されたＥＰＧ情報に基づいて、再登録用の視聴予約番組を検索し（ステップＳ５３）、再登録用の視聴予約番組があるか否かを判断する（ステップＳ５４）。
【０１１２】
ステップＳ５４で、再登録用の視聴予約番組がないと判断すると（ステップＳ５４；Ｎｏ）、ＣＰＵ１７１は、本処理を終了する。
【０１１３】
一方、ステップＳ５４で、再登録用の視聴予約番組があると判断すると（ステップＳ５４；Ｙｅｓ）、ＣＰＵ１７１は、第２登録プログラム１７３ｅを実行して、当該検索された再登録用の視聴予約番組を登録し（ステップＳ５５）、そして、受信装置１の電源がＯＮされているか否かを判断する（ステップＳ５６）。
【０１１４】
ステップＳ５６で、受信装置１の電源がＯＮされていないと判断すると（ステップＳ５６；Ｎｏ）、ＣＰＵ１７１は、本処理を終了する。
【０１１５】
一方、ステップＳ５６で、受信装置１の電源がＯＮされていると判断すると（ステップＳ５６；Ｙｅｓ）、ＣＰＵ１７１は、報知プログラム１７３ｊを実行して、再登録用の視聴予約番組が検索された旨をユーザに報知し（ステップＳ５７）、本処理を終了する。
【０１１６】
以上説明した本発明の受信装置１によれば、チューナ１１によって、テレビジョン放送波からＥＰＧ情報を取得することができ、第１検索プログラム１７３ａを実行したＣＰＵ１７１によって、所定のタイミングで、チューナ１１により取得されたＥＰＧ情報に基づいて、所定のキーワードに合致する番組を検索することができ、第１登録プログラム１７３ｂを実行したＣＰＵ１７１によって、第１検索プログラム１７３ａを実行したＣＰＵ１７１により検索された番組を登録することができ、第１作成プログラム１７３ｃを実行したＣＰＵ１７１によって、第１登録プログラム１７３ｂを実行したＣＰＵ１７１により登録された番組のうちの新規登録番組をリストアップした新規登録番組リストを作成することができ、第１表示制御プログラム１７３ｄを実行したＣＰＵ１７１によって、当該受信装置１の電源がＯＮされると、第１作成プログラム１７３ｃを実行したＣＰＵ１７１により作成された新規登録番組リストを映像表示部１４２に表示させることができる。そして、第１作成プログラム１７３ｃを実行したＣＰＵ１７１は、第１登録プログラム１７３ｂを実行したＣＰＵ１７１により登録された番組の中から、既に第１表示制御プログラム１７３ｄを実行したＣＰＵ１７１により映像表示部１４２に表示された新規登録番組リストにリストアップされた番組以外の番組であり、かつ、未放送の番組である新規登録番組を抽出して、当該抽出された新規登録番組をリストアップした新規登録番組リストを作成することができる。
すなわち、受信装置１の電源がＯＮされると、所定のキーワードに合致する新規登録番組をリストアップした新規登録番組リストが表示されるようになっているため、ユーザは、受信装置１の電源をＯＮすると、必ずこの新規登録番組リストを見て所定のキーワードに合致する新規登録番組を認識することができる。また、新規登録番組リストにリストアップされる新規登録番組は、既に表示された新規登録番組リストにリストアップされた番組以外の番組であり、かつ、未放送の番組であるため、所定のキーワードに合致する番組の全てをリストアップする場合よりも、リストアップされる番組の数を抑えることができることとなって、ユーザは、所定のキーワードに合致する新規登録番組を認識しやすくなる。したがって、視聴したい番組を容易に見つけ出すことができ、視聴したい番組の見逃しを抑えることができる。
【０１１７】
また、第１検索プログラム１７３ａを実行したＣＰＵ１７１は、チューナ１１によりＥＰＧ情報が取得されたタイミングで、当該取得されたＥＰＧ情報に基づいて、所定のキーワードに合致する番組を検索することができる。
すなわち、ＥＰＧ情報が取得されたタイミングで、新規登録番組リストを作成することができる。したがって、受信装置１の電源がＯＮされたタイミングで新規登録番組リストを作成する場合よりも、受信装置１の電源がＯＮされてから新規登録番組リストを表示するまでにかかる時間が短くなるため、利便性が高い。
【０１１８】
また、第１作成プログラム１７３ｃを実行したＣＰＵ１７１は、第１登録プログラム１７３ｂを実行したＣＰＵ１７１により登録された番組の中から番組タイトルが同一の番組を複数抽出した場合は、当該抽出された複数の番組のうち放送時間が直近の番組を作成する新規登録番組リストにリストアップすることができる。
したがって、新規登録番組リストにリストアップされる新規登録番組の数をより一層抑えることができることとなって、ユーザは、所定のキーワードに合致する新規登録番組を認識しやすくなる。
【０１１９】
また、ユーザによる操作部１５の操作によって、第１表示制御プログラム１７３ｄを実行したＣＰＵ１７１により映像表示部１４２に表示された新規登録番組リストの中から、視聴予約をする視聴予約番組を選択することができ、第２登録プログラム１７３ｅを実行したＣＰＵ１７１によって、ユーザによる操作部１５の操作により選択された視聴予約番組を登録することができ、第２作成プログラム１７３ｆを実行したＣＰＵ１７１によって、第２登録プログラム１７３ｅを実行したＣＰＵ１７１により登録された視聴予約番組の中から、所定期間内（例えば、当日又は翌日）に放送される視聴予約番組を抽出して、当該抽出された視聴予約番組をリストアップした視聴予約番組リストを作成することができ、第２表示制御プログラム１７３ｇを実行したＣＰＵ１７１によって、受信装置１の電源がＯＮされると、第２作成プログラム１７３ｆを実行したＣＰＵ１７１により作成された視聴予約番組リストを映像表示部１４２に表示させることができる。
すなわち、受信装置１の電源がＯＮされると、視聴予約された視聴予約番組をリストアップした視聴予約番組リストも表示されるようになっているため、ユーザは、受信装置１の電源がＯＮされると、必ずこの視聴予約番組リストを見て視聴予約をした視聴予約番組を認識することができる。また、視聴予約番組リストにリストアップされる視聴予約番組は、所定期間内に放送される視聴予約番組であるため、視聴予約された視聴予約番組の全てをリストアップする場合よりも、リストアップされる視聴予約番組の数を抑えることができ、ユーザは、視聴予約をした視聴予約番組を認識しやすくなる。したがって、視聴予約をした番組を容易に確認することができ、視聴予約をした番組の見逃しを抑えることができる。
【０１２０】
また、判断プログラム１７３ｈを実行したＣＰＵ１７１によって、第２登録プログラム１７３ｅを実行したＣＰＵ１７１により登録された視聴予約番組（具体的には、視聴予約番組や再登録用の視聴予約番組）が視聴されたか否かを判断することができ、第２検索プログラム１７３ｉを実行したＣＰＵ１７１によって、判断プログラム１７３ｈを実行したＣＰＵ１７１によって第２登録プログラム１７３ｅを実行したＣＰＵ１７１により登録された視聴予約番組が視聴されていないと判断されると、チューナ１１により取得されたＥＰＧ情報に基づいて、当該視聴されていないと判断された視聴予約番組と同一の番組若しくは第１検索プログラム１７３ａを実行したＣＰＵ１７１が当該視聴予約番組を検索した際に使用した所定のキーワードに合致する番組であり、かつ、未放送の番組を再設定用の視聴予約番組として検索することができ、そして、第２登録プログラム１７３ｅを実行したＣＰＵ１７１は、第２検索プログラム１７３ｉを実行したＣＰＵ１７１により検索された再設定用の視聴予約番組を登録することができる。
すなわち、視聴予約された視聴予約番組が視聴されなかった場合には、当該視聴予約番組と同一又は類似の番組を視聴予約番組リストにリストアップすることができるため、視聴したい番組の見逃しを抑えることができる。
【０１２１】
また、報知プログラム１７３ｊを実行したＣＰＵ１７１によって、受信装置１の電源がＯＮされている間に第２検索プログラム１７３ｉを実行したＣＰＵ１７１により再登録用の視聴予約番組が検索された場合に、その旨を報知することができる。
すなわち、視聴予約された視聴予約番組が視聴されなかった場合、当該視聴予約番組と同一又は類似の番組をユーザにいち早く認識させることができるため、視聴したい番組の見逃しを抑えることができる。
【０１２２】
また、ユーザによる操作部１５の操作によって、所定のキーワードを入力することができる。
したがって、新規登録番組リストには、ユーザが入力したキーワードに合致する新規登録番組がリストアップされるため、より一層、視聴したい番組を容易に見つけ出すことができ、視聴したい番組の見逃しを抑えることができる。
【０１２３】
なお、本発明は、上記した実施の形態のものに限るものではなく、その要旨を逸脱しない範囲で適宜変更可能である。
【０１２４】
新規登録番組リストや視聴予約番組リストは、例えば、ユーザ設定により表示するか否かを設定できるようにしてもよい。
【０１２５】
また、ＥＰＧ情報を取得したタイミングで新規登録番組リストを作成するようにしたが、新規登録番組リストを作成するタイミングは任意であり、例えば、電源がＯＮされたタイミングで作成するようにしてもよい。
【０１２６】
また、所定期間内を、当日及び翌日にして、視聴予約番組リストに当日及び翌日に放送される視聴予約番組をリストアップするようにしたが、所定期間の幅は、視聴予約番組リストにリストアップされる番組数が多くなりすぎない範囲であれば任意である。
【０１２７】
また、所定の条件を、ユーザにより入力された所定のキーワードとして、ＥＰＧ情報に基づいて所定のキーワードに合致する番組を検索するようにしたが、所定の条件は、ユーザ所望の番組を検索できる条件であれば任意であり、例えば、視聴履歴から求めてもよい。
【図面の簡単な説明】
【０１２８】
【図１】本発明にかかる受信装置の機能的構成を示すブロック図である。
【図２】本発明にかかる受信装置による新規登録番組リストの作成に関する処理を説明するためのフローチャートである。
【図３】本発明にかかる受信装置による新規登録番組リスト及び視聴予約番組リストの表示に関する第１処理を説明するためのフローチャートである。
【図４】本発明にかかる受信装置による新規登録番組リスト及び視聴予約番組リストの表示に関する第２処理を説明するためのフローチャートである。
【図５】受信装置の映像表示部に表示される、新規登録番組報知画面を示す図（ａ）と、新規登録番組リスト画面を示す図（ｂ）である。
【図６】受信装置の映像表示部に表示される、視聴予約番組報知画面を示す図（ａ）と、視聴予約番組リスト画面を示す図（ｂ）である。
【図７】本発明にかかる受信装置による見逃し番組の登録に関する処理を説明するためのフローチャートである。
【符号の説明】
【０１２９】
１  受信装置
１１  チューナ（取得手段）
１５  操作部（入力手段、選択手段）
１４２  映像表示部（表示手段）
１７１  ＣＰＵ（検索手段（第１検索手段）、登録手段（第１登録手段）、作成手段（第１作成手段）、表示制御手段（第１表示制御手段）、第２登録手段、第２作成手段、第２表示制御手段、判断手段、第２検索手段、報知手段）
１７３ａ  第１検索プログラム（検索手段（第１検索手段））
１７３ｂ  第１登録プログラム（登録手段（第１登録手段））
１７３ｃ  第１作成プログラム（作成手段（第１作成手段））
１７３ｄ  第１表示制御プログラム（表示制御手段（第１表示制御手段））
１７３ｅ  第２登録プログラム（第２登録手段）
１７３ｆ  第２作成プログラム（第２作成手段）
１７３ｇ  第２表示制御プログラム（第２表示制御手段）
１７３ｈ  判断プログラム（判断手段）
１７３ｉ  第２検索プログラム（第２検索手段）
１７３ｊ  報知プログラム（報知手段）
【図１】
2008166999.tif 000003
【図２】
2008166999.tif 000004
【図３】
2008166999.tif 000005
【図４】
2008166999.tif 000006
【図５】
2008166999.tif 000007
【図６】
2008166999.tif 000008
【図７】
2008166999.tif 000009